(57)【要約】      （修正有）【課題】高い通気性と防音性能を両立することができ、小型化できる消音システムを提供する。【解決手段】２つの空間を隔てる壁１６を貫通して設けられる管状部材１２に、管状部材を通過する音を消音する消音装置１４が設置された消音システムであって、消音装置は、吸音材２４と、吸音材よりも音響特性インピーダンスが高い高抵抗部材２８とを有する。吸音材の表面の一部は、消音システム内における管状部材の第一共鳴の音場空間に接続された開口部３２であり、吸音材の表面の他の少なくとも一部は、高抵抗部材で覆われて音場空間とは遮断されており、開口部から吸音材に侵入した音波の進行方向における吸音材の深さは、管状部材の軸方向における開口部の幅よりも大きく、吸音材の音響特性インピーダンスの絶対値に対する高抵抗部材の音響特性インピーダンスの比をＺｒとし、高抵抗部材の厚みをｔとすると、ｌｏｇ（ｔ×Ｚｒ2.5）＞１．９９を満たす。【選択図】図１
2019056800.tif 000002
【特許請求の範囲】
【請求項１】
２つの空間を隔てる壁を貫通して設けられる管状部材に、前記管状部材を通過する音を消音する消音装置が設置された消音システムであって、
前記消音装置は、吸音材と、前記吸音材よりも音響特性インピーダンスが高い高抵抗部材とを有し、
前記吸音材の表面の一部は、前記消音システム内における前記管状部材の第一共鳴の音場空間に接続された開口部であり、
前記吸音材の表面の他の少なくとも一部は、前記高抵抗部材で覆われて、前記音場空間とは遮断されており、
前記開口部から前記吸音材に侵入した音波の進行方向における前記吸音材の深さＬdは、前記管状部材の軸方向における前記開口部の幅Ｌoよりも大きく、
前記吸音材の音響特性インピーダンスの絶対値に対する前記高抵抗部材の音響特性インピーダンスの比をＺｒとし、前記高抵抗部材の厚みをｔ（ｍｍ）とすると、
ｌｏｇ（ｔ×Ｚｒ2.5）≧１．９９
を満たす消音システム。
【請求項２】
前記第一共鳴の共鳴周波数における音波の波長をλとすると、前記吸音材の深さＬdは、０．０１１×λ＜Ｌd＜０．２５×λを満たす請求項１に記載の消音システム。
【請求項３】
前記高抵抗部材の厚みｔが０．０１ｍｍ以上 ３．００ｍｍ以下である請求項１または２に記載の消音システム。
【請求項４】
前記吸音材の音響特性インピーダンスの絶対値に対する前記高抵抗部材の音響特性インピーダンスが、２．４×１０4以上５×１０7[ｋｇ・ｍ-2・ｓ-1]以下である請求項１〜３のいずれか一項に記載の消音システム。
【請求項５】
前記吸音材の音響特性インピーダンスの絶対値に対する前記高抵抗部材の音響特性インピーダンスの比Ｚｒと、前記高抵抗部材の厚みｔ（ｍｍ）とが、
１．９９≦ｌｏｇ（ｔ×Ｚｒ2.5）≦１１．０
を満たす請求項１〜４のいずれか一項に記載の消音システム。
【請求項６】
前記軸方向に平行な断面において、前記吸音材の深さ方向に直交する方向の前記吸音材の幅Ｌwは、０．００１×λ＜Ｌw＜０．０６１×λを満たす請求項１〜５のいずれか一項に記載の消音システム。
【請求項７】
前記軸方向に平行な断面において、前記吸音材は、前記軸方向に延在する矩形状であり、
前記吸音材の、前記軸方向の長さが深さＬdであり、
前記吸音材の、前記管状部材の中心軸側の面の一部が、前記管状部材の第一共鳴の音場空間に接続された前記開口部であり、
前記吸音材の、前記管状部材の中心軸側の面の他の少なくとも一部が、前記高抵抗部材に覆われている請求項１〜６のいずれか一項に記載の消音システム。
【請求項８】
前記吸音材の、前記管状部材の中心軸側の面以外の面が、前記高抵抗部材で覆われている請求項７に記載の消音システム。
【請求項９】
前記消音装置は、前記吸音材の、前記管状部材の中心軸側の面以外の面を覆うケース部を有する請求項７に記載の消音システム。
【請求項１０】
前記管状部材の中心軸を軸とする円周面における、前記開口部の面積Ｓ1は前記吸音材の面積Ｓ0よりも小さい請求項７〜９のいずれか一項に記載の消音システム。
【請求項１１】
前記吸音材の流れ抵抗σ1は、（１．２５−ｌｏｇ（０．１×Ｌd））／０．２４＜ｌｏｇ（σ1）＜５．６を満たす請求項１〜１０のいずれか一項に記載の消音システム。
【請求項１２】
２以上の前記吸音材を有し、
各前記吸音材の前記開口部は、前記管状部材の中心軸に対して回転対称に配置されている請求項１〜１１のいずれか一項に記載の消音システム。
【請求項１３】
前記吸音材は、前記壁の一方の端面側に配置されている請求項１〜１２のいずれか一項に記載の消音システム。
【請求項１４】
前記消音装置は、前記管状部材に接続される筒状の挿入部と、
前記吸音材の、前記管状部材の中心軸側の面以外の面を覆うケース部と、を有し、
前記挿入部は、中心軸を前記管状部材の中心軸に一致させて配置されている請求項１３に記載の消音システム。
【請求項１５】
前記吸音材の少なくとも一部が、前記管状部材の外周に配置されている請求項１〜１２のいずれか一項に記載の消音システム。
【請求項１６】
前記軸方向に垂直な断面において、前記管状部材の実効外径Ｄ0と、前記吸音材の実効外径Ｄ1とは、Ｄ1＜Ｄ0＋２×（０．０４５×λ＋５ｍｍ）を満たす請求項１５に記載の消音システム。
【請求項１７】
前記吸音材が前記管状部材の内部に配置されている請求項１〜１３のいずれか一項に記載の消音システム。
【請求項１８】
前記吸音材を複数有し、
複数の前記吸音材の前記開口部は、前記管状部材の軸方向の少なくとも２箇所以上の位置に配置されている請求項１〜１７のいずれか一項に記載の消音システム。
【請求項１９】
前記開口部の位置ごとに、前記吸音材の深さＬdが異なる請求項１８に記載の消音システム。
【請求項２０】
前記開口部の位置ごとに、前記吸音材の音響特性が異なる請求項１８または１９に記載の消音システム。
【請求項２１】
２つの空間を隔てる壁を貫通して設けられる管状部材に、消音装置が配置された消音システムであって、
前記消音装置は、吸音材と、前記吸音材よりも音響特性インピーダンスが高い高抵抗部材とを有し、
前記吸音材の表面の一部は、前記消音システム内における前記管状部材の第一共鳴の音場空間に接続された開口部であり、
前記吸音材の表面の他の少なくとも一部は、前記高抵抗部材で覆われて、前記音場空間とは遮断されており、
前記吸音材の開口部の面積をＳ1、前記吸音材の内壁の表面積をＳdとすると、面積Ｓdに対する面積Ｓ1の割合Ｓ1/Ｓdは、０＜Ｓ1／Ｓd＜４０％を満たし、
前記吸音材の音響特性インピーダンスの絶対値に対する前記高抵抗部材の音響特性インピーダンスの比をＺｒとし、前記高抵抗部材の厚みをｔ（ｍｍ）とすると、
ｌｏｇ（ｔ×Ｚｒ2.5）＞１．９９
を満たす消音システム。
【請求項２２】
前記管状部材の軸方向において、前記吸音材は、前記壁と、前記壁から離間して配置される化粧板との間に、一部が前記化粧板に形成された貫通孔に挿通されて配置されており、
前記管状部材の軸方向から見た際に、前記化粧板と前記貫通孔との境界を覆う境界カバーを有する請求項１〜２１のいずれか一項に記載の消音システム。
【請求項２３】
前記管状部材の軸方向において、前記吸音材は、前記管状部材の一方の端部に配置され、
さらに、前記管状部材内に配置される防音部材を有する請求項１〜２２のいずれか一項に記載の消音システム。
【請求項２４】
前記管状部材の軸方向において、前記吸音材は、前記管状部材の一方の端部に配置され、
さらに、前記管状部材の他方の端部に配置される防音部材を有する請求項１〜２３のいずれか一項に記載の消音システム。
【発明の詳細な説明】
【技術分野】
【０００１】
本発明は、消音システムに関する。
【背景技術】
【０００２】
換気口、空調用ダクトなど、室内と室外とを隔てる壁に設けられた、室内と室外とを貫通する管状部材において、室外からの騒音が室内に伝わるのを抑制するため、あるいは室内からの騒音が外部に伝わるのを抑制するために、管状部材内にウレタン、ポリエチレン、および、グラスウール等の吸音材を設置することが行なわれている。
ウレタン、ポリエチレン、およびグラスウール等の吸音材を用いる場合には、８００Ｈｚ以下の低周波音の吸収率が極端に低くなるため、吸収率を大きくするためには体積を大きくするが必要である。しかしながら、換気口、空調用ダクトなどの通気性を確保する必要があるため、吸音材の大きさには限度があり、高い通気性と防音性能とを両立することが難しいという問題があった。
【０００３】
これに対して、空調用ダクトの外周部に吸音材を配置することで、大きな吸音材を用いた場合でも通気性を確保することが提案されている。
例えば、特許文献１には、空調ダクトの流路に介在し、流路を伝わる騒音を低減する空調ダクト用吸音材において、流路に臨む周壁は、吸音材の外側にフィルムを張設し、その外側に間隔をおいて多孔板を設けた積層体を有するものとし、フィルムとして、音を透過させ、かつ空気の漏洩を防止するものを用いた空調ダクト用吸音材が記載されている。
【先行技術文献】
【特許文献】
【０００４】
【特許文献１】特開２００１−０７４３０２号公報
【発明の概要】
【発明が解決しようとする課題】
【０００５】
しかしながら、特許文献１に記載のように、空調用ダクトの外周部に吸音材を配置する構成では、低周波域の騒音から高周波域の騒音まで低減するためには、大きな吸音材を用いる必要があるため、吸音材等の吸音材を含むシステム全体として大型化してしまうという問題があった。
【０００６】
本発明の課題は、上記従来技術の問題点を解消し、高い通気性と防音性能を両立することができ、小型化できる消音システムを提供することを課題とする。
【課題を解決するための手段】
【０００７】
本発明者らは、上記課題を解決すべく鋭意検討した結果、２つの空間を隔てる壁を貫通して設けられる管状部材に、管状部材を通過する音を消音する消音装置が設置された消音システムであって、消音装置は、吸音材と、吸音材よりも音響特性インピーダンスが高い高抵抗部材とを有し、吸音材の表面の一部は、消音システム内における管状部材の第一共鳴の音場空間に接続された開口部であり、吸音材の表面の他の少なくとも一部は、高抵抗部材で覆われて、音場空間とは遮断されており、開口部から吸音材に侵入した音波の進行方向における吸音材の深さＬdは、管状部材の軸方向における開口部の幅Ｌoよりも大きく、吸音材の音響特性インピーダンスの絶対値に対する高抵抗部材の音響特性インピーダンスの比をＺｒとし、高抵抗部材の厚みをｔ（ｍｍ）とすると、ｌｏｇ（ｔ×Ｚｒ2.5）＞１．９９を満たすことにより、上記課題を解決できることを見出し、本発明を完成させた。
すなわち、以下の構成により上記目的を達成することができることを見出した。
【０００８】
［１］  ２つの空間を隔てる壁を貫通して設けられる管状部材に、管状部材を通過する音を消音する消音装置が設置された消音システムであって、
消音装置は、吸音材と、吸音材よりも音響特性インピーダンスが高い高抵抗部材とを有し、
吸音材の表面の一部は、消音システム内における管状部材の第一共鳴の音場空間に接続された開口部であり、
吸音材の表面の他の少なくとも一部は、高抵抗部材で覆われて、音場空間とは遮断されており、
開口部から吸音材に侵入した音波の進行方向における吸音材の深さＬdは、管状部材の軸方向における開口部の幅Ｌoよりも大きく、
吸音材の音響特性インピーダンスの絶対値に対する高抵抗部材の音響特性インピーダンスの比をＺｒとし、高抵抗部材の厚みをｔ（ｍｍ）とすると、
ｌｏｇ（ｔ×Ｚｒ2.5）≧１．９９
を満たす消音システム。
［２］  第一共鳴の共鳴周波数における音波の波長をλとすると、吸音材の深さＬdは、０．０１１×λ＜Ｌd＜０．２５×λを満たす［１］に記載の消音システム。
［３］  高抵抗部材の厚みｔが０．０１ｍｍ以上 ３．００ｍｍ以下である［１］または［２］に記載の消音システム。
［４］  吸音材の音響特性インピーダンスの絶対値に対する高抵抗部材の音響特性インピーダンスが、２．４×１０4以上５×１０7[ｋｇ・ｍ-2・ｓ-1]以下である［１］〜［３］のいずれかに記載の消音システム。
［５］  吸音材の音響特性インピーダンスの絶対値に対する高抵抗部材の音響特性インピーダンスの比Ｚｒと、高抵抗部材の厚みｔ（ｍｍ）とが、
１．９９  ≦ｌｏｇ（ｔ×Ｚｒ2.5）≦  １１．０
を満たす［１］〜［４］のいずれかに記載の消音システム。
［６］  軸方向に平行な断面において、吸音材の深さ方向に直交する方向の吸音材の幅Ｌwは、０．００１×λ＜Ｌw＜０．０６１×λを満たす［１］〜［５］のいずれかに記載の消音システム。
［７］  軸方向に平行な断面において、吸音材は、軸方向に延在する矩形状であり、
吸音材の、軸方向の長さが深さＬdであり、
吸音材の、管状部材の中心軸側の面の一部が、管状部材の第一共鳴の音場空間に接続された開口部であり、
吸音材の、管状部材の中心軸側の面の他の少なくとも一部が、高抵抗部材に覆われている［１］〜［６］のいずれかに記載の消音システム。
［８］  吸音材の、管状部材の中心軸側の面以外の面が、高抵抗部材で覆われている［７］に記載の消音システム。
［９］  消音装置は、吸音材の、管状部材の中心軸側の面以外の面を覆うケース部を有する［７］に記載の消音システム。
［１０］  管状部材の中心軸を軸とする円周面における、開口部の面積Ｓ1は吸音材の面積Ｓ0よりも小さい［７］〜［９］のいずれかに記載の消音システム。
［１１］  吸音材の流れ抵抗σ1は、（１．２５−ｌｏｇ（０．１×Ｌd））／０．２４＜ｌｏｇ（σ1）＜５．６を満たす［１］〜［１０］のいずれかに記載の消音システム。
［１２］  ２以上の吸音材を有し、
各吸音材の開口部は、管状部材の中心軸に対して回転対称に配置されている［１］〜［１１］のいずれかに記載の消音システム。
［１３］  吸音材は、壁の一方の端面側に配置されている［１］〜［１２］のいずれかに記載の消音システム。
［１４］  消音装置は、管状部材に接続される筒状の挿入部と、
吸音材の、管状部材の中心軸側の面以外の面を覆うケース部と、を有し、
挿入部は、中心軸を管状部材の中心軸に一致させて配置されている［１３］に記載の消音システム。
［１５］  吸音材の少なくとも一部が、管状部材の外周に配置されている［１］〜［１２］のいずれかに記載の消音システム。
［１６］  軸方向に垂直な断面において、管状部材の実効外径Ｄ0と、吸音材の実効外径Ｄ1とは、Ｄ1＜Ｄ0＋２×（０．０４５×λ＋５ｍｍ）を満たす［１５］に記載の消音システム。
［１７］  吸音材が管状部材の内部に配置されている［１］〜［１３］のいずれかに記載の消音システム。
［１８］  吸音材を複数有し、
複数の吸音材の開口部は、管状部材の軸方向の少なくとも２箇所以上の位置に配置されている［１］〜［１７］のいずれかに記載の消音システム。
［１９］  開口部の位置ごとに、吸音材の深さＬdが異なる［１８］に記載の消音システム。
［２０］  開口部の位置ごとに、吸音材の音響特性が異なる［１８］または［１９］に記載の消音システム。
［２１］  ２つの空間を隔てる壁を貫通して設けられる管状部材に、消音装置が配置された消音システムであって、
消音装置は、吸音材と、吸音材よりも音響特性インピーダンスが高い高抵抗部材とを有し、
吸音材の表面の一部は、消音システム内における管状部材の第一共鳴の音場空間に接続された開口部であり、
吸音材の表面の他の少なくとも一部は、高抵抗部材で覆われて、音場空間とは遮断されており、
吸音材の開口部の面積をＳ1、吸音材の内壁の表面積をＳdとすると、面積Ｓdに対する面積Ｓ1の割合Ｓ1/Ｓdは、０＜Ｓ1／Ｓd＜４０％を満たし、
吸音材の音響特性インピーダンスの絶対値に対する高抵抗部材の音響特性インピーダンスの比をＺｒとし、高抵抗部材の厚みをｔ（ｍｍ）とすると、
ｌｏｇ（ｔ×Ｚｒ2.5）＞１．９９
を満たす消音システム。
［２２］  管状部材の軸方向において、吸音材は、壁と、壁から離間して配置される化粧板との間に、一部が化粧板に形成された貫通孔に挿通されて配置されており、
管状部材の軸方向から見た際に、化粧板と貫通孔との境界を覆う境界カバーを有する［１］〜［２１］のいずれかに記載の消音システム。
［２３］  管状部材の軸方向において、吸音材は、管状部材の一方の端部に配置され、
さらに、管状部材内に配置される防音部材を有する［１］〜［２２］のいずれかに記載の消音システム。
［２４］  管状部材の軸方向において、吸音材は、管状部材の一方の端部に配置され、
さらに、管状部材の他方の端部に配置される防音部材を有する［１］〜［２３］のいずれかに記載の消音システム。
【発明の効果】
【０００９】
本発明によれば、高い通気性と防音性能を両立することができ、小型化できる消音システムを提供することができる。
【図面の簡単な説明】
【００１０】
【図１】本発明の消音システムの一例を概念的に示す断面図である。
【図２】管状部材の音場空間を説明するための図である。
【図３】吸音材の深さおよび幅を説明するための図である。
【図４】吸音材の開口部の面積および吸音材の面積を説明するための図である。
【図５】吸音材の深さと幅とｖ×Ｐとの関係を表すグラフである。
【図６】周波数と透過音圧との関係を表すグラフである。
【図７】開口面積の割合と透過音圧のピークとの関係を表すグラフである。
【図８】本発明の消音システムの他の一例を概念的に示す断面図である。
【図９】本発明の消音システムの他の一例を概念的に示す断面図である。
【図１０】本発明の消音システムの他の一例を概念的に示す断面図である。
【図１１】本発明の消音システムの他の一例を概念的に示す断面図である。
【図１２】本発明の消音システムの他の一例を概念的に示す断面図である。
【図１３】本発明の消音システムの他の一例を概念的に示す断面図である。
【図１４】本発明の消音システムの他の一例を概念的に示す断面図である。
【図１５】本発明の消音システムの他の一例を概念的に示す断面図である。
【図１６】本発明の消音システムの他の一例を概念的に示す断面図である。
【図１７】本発明の消音システムの他の一例を概念的に示す断面図である。
【図１８】本発明の消音システムの他の一例を概念的に示す断面図である。
【図１９】本発明の消音システムの他の一例を概念的に示す断面図である。
【図２０】図１９のＣ−Ｃ線断面図である。
【図２１】本発明の消音システムの他の一例を概念的に示す断面図である。
【図２２】本発明の消音システムの他の一例を概念的に示す断面図である。
【図２３】本発明の消音システムの他の一例を概念的に示す断面図である。
【図２４】本発明の消音システムの他の一例を概念的に示す断面図である。
【図２５】本発明の消音システムの他の一例を概念的に示す断面図である。
【図２６】本発明の消音システムの他の一例を概念的に示す断面図である。
【図２７】消音装置の他の一例を概念的に示す断面図である。
【図２８】本発明の消音システムの他の一例を概念的に示す断面図である。
【図２９】本発明の消音システムの他の一例を概念的に示す断面図である。
【図３０】本発明の消音システムの他の一例を概念的に示す断面図である。
【図３１】本発明の消音システムの他の一例を概念的に示す断面図である。
【図３２】本発明の消音システムの他の一例を概念的に示す断面図である。
【図３３】図３２を風量調整部材側から見た正面図である。
【図３４】本発明の消音システムの他の一例を概念的に示す断面図である。
【図３５】本発明の消音システムの他の一例を概念的に示す断面図である。
【図３６】本発明の消音システムの他の一例を概念的に示す断面図である。
【図３７】本発明の消音システムの他の一例を概念的に示す断面図である。
【図３８】シミュレーションにおける消音システムのモデルを模式的に表す断面図である。
【図３９】透過音圧と周波数との関係を表すグラフである。
【図４０】インピーダンス比Ｚｒと５００Ｈｚオクターブバンドの透過損失との関係を表すグラフである。
【図４１】厚みｔと５００Ｈｚオクターブバンドの透過損失との関係を表すグラフである。
【図４２】パラメータＰtZと５００Ｈｚのピーク音吸音の効果発現率との関係を表すグラフである。
【図４３】透過音圧と周波数と流れ抵抗との関係を表すグラフである。
【図４４】流れ抵抗と透過音圧のピーク値との関係を表すグラフである。
【図４５】深さと流れ抵抗と透過音圧のピーク値との関係を表すグラフである。
【図４６】透過音圧の測定方法を説明するための図である。
【図４７】比較例の構成を説明するための概略断面図である。
【図４８】実施例の構成を説明するための概略断面図である。
【図４９】透過音圧と周波数との関係を表すグラフである。
【図５０】透過音圧と周波数との関係を表すグラフである。
【図５１】透過音圧と周波数との関係を表すグラフである。
【図５２】実施例および比較例の５００Ｈｚオクターブバンドの透過損失を表すグラフである。
【図５３】パラメータＰtZと５００Ｈｚのピーク音吸音の効果発現率との関係を表すグラフである。
【発明を実施するための形態】
【００１１】
以下、本発明について詳細に説明する。
以下に記載する構成要件の説明は、本発明の代表的な実施態様に基づいてなされるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、「直交」および「平行」とは、本発明が属する技術分野において許容される誤差の範囲を含むものとする。例えば、「直交」および「平行」とは、厳密な直交あるいは平行に対して±１０°未満の範囲内であることなどを意味し、厳密な直交あるいは平行に対しての誤差は、５°以下であることが好ましく、３°以下であることがより好ましい。
本明細書において、「同一」、「同じ」は、技術分野で一般的に許容される誤差範囲を含むものとする。また、本明細書において、「全部」、「いずれも」または「全面」などというとき、１００％である場合のほか、技術分野で一般的に許容される誤差範囲を含み、例えば９９％以上、９５％以上、または９０％以上である場合を含むものとする。
【００１２】
［消音システム］
本発明の消音システムの構成について、図面を用いて説明する。
図１は、本発明の消音システムの好適な実施態様の一例を示す模式的な断面図である。
【００１３】
図１に示すように、消音システム１０ａは、２つの空間を隔てる壁１６を貫通して設けられる、円筒状の管状部材１２の外側の周面（外周面）に消音装置１４が配置された構成を有する。
管状部材１２は、例えば、換気口および空調用ダクト等の通気スリーブである。
なお、管状部材１２は、換気口および空調用ダクト等に限定はされず、各種機器に用いられる一般的なダクトであってもよい。
【００１４】
消音装置１４は、吸音材２４と、ケース部２７と、高抵抗部材２８とを有する。
吸音材２４は、音エネルギーを熱エネルギーに変換して消音を行う従来公知の吸音材である。高抵抗部材２８は、吸音材２４よりも音響インピーダンスが高い材料からなるフィルム状の部材である。ケース部２７は、剛体とみなすことができ、音波を遮蔽する部材である。
図１に示すように、消音装置１４は、管状部材１２と壁１６との間に（壁１６に設けられた空間に）配置されている。
【００１５】
図１に示す例においては、ケース部２７は、一面が開放された略直方体の箱型形状で、その開放面を、管状部材１２の中心軸側に向けて、管状部材１２の周面に形成された周面開口部１２ａに接続されている。ケース部２７の開放面と、管状部材１２の周面開口部１２ａは略同じ形状および大きさである。
ケース部２７内には、吸音材２４が配置されている。すなわち、吸音材２４の、管状部材１２の中心軸側の面以外の面は、ケース部２７で覆われている。
【００１６】
吸音材２４の、管状部材１２の中心軸側の面には、この面の一部を覆う高抵抗部材２８が配置されている。吸音材２４の、管状部材１２の中心軸側の面の残りの部分は、管状部材１２の内部と連通している。吸音材２４の、管状部材１２の中心軸側の面の高抵抗部材２８で覆われていない部分を開口部３２とする。
吸音材２４の、管状部材１２の中心軸側の面の一部である開口部３２は、消音システム１０ａにおける管状部材１２内に生じる第一共鳴の音場空間に接続されている。言い換えると、吸音材２４の、管状部材１２の中心軸側の面は、管状部材１２内に生じる第一共鳴の音場空間に接続される位置に配置されており、その一部は、高抵抗部材２８で覆われて、音場空間とは遮断されている。
【００１７】
ここで、消音システム１０ａ内における管状部材１２の第一共鳴の音場空間について図２を用いて説明する。
図２は、２つの空間を隔てる壁１６を貫通して設けられる管状部材１２の第一共鳴モードにおける音圧の分布をシミュレーションによって求めたものである。図２からわかるように、管状部材１２の第一共鳴の音場空間は、管状部材１２内、および、開口端補正距離内の空間である。周知のとおり、開口端補正の距離だけ音場の定在波の腹が管状部材１２の外側にはみ出している。なお、円筒形の管状部材１２の場合の開口端補正距離は、大凡１．２×管直径で与えられる。
【００１８】
また、図３に示すように、吸音材２４内の音波の進行方向における吸音材２４の深さをＬdとし、管状部材１２の軸方向（以下、単に軸方向ともいう）における開口部３２の幅をＬoとすると、吸音材２４の深さＬdは、開口部３２の幅Ｌoよりも大きい。
ここで、吸音材２４内の音波の進行方向は、シミュレーションにより求めることができる。図３に示す例においは、吸音材２４は軸方向に延在しているため、吸音材２４内の音波の進行方向は軸方向（図中左右方向）である。従って、吸音材２４の深さＬdは、軸方向における開口部３２から吸音材２４の遠い側の端面までの長さである。なお、位置によって吸音材２４の深さが異なる場合には、吸音材２４の深さＬdは、各位置での深さの平均値である。
また、位置によって開口部３２の幅が異なる場合には、開口部３２の幅Ｌoは、各位置での幅の平均値である。
なお、図３においては、説明のため壁１６の図示を省略している。以降の図においても、壁１６の図示を省略する場合がある。
【００１９】
さらに、本発明において、吸音材２４の音響特性インピーダンスの絶対値（Ｚａ）に対する高抵抗部材２８の音響特性インピーダンス（Ｚｈ）の比をＺｒ（＝Ｚｈ／Ｚａ  以下、「インピーダンス比Ｚｒ」ともいう）とし、高抵抗部材２８の厚みをｔ（ｍｍ）とすると、ｌｏｇ（ｔ×Ｚｒ2.5）＞１．９９を満たす。
吸音材２４の音響特性インピーダンスに対する高抵抗部材２８の音響特性インピーダンスの比Ｚｒと、高抵抗部材２８の厚みｔが上記式を満たすことで、音波が高抵抗部材２８内を伝搬しにくくなって、吸音材２４の高抵抗部材２８に覆われた部分は音場空間から遮断されて、音波は開口部３２からのみ吸音材２４内に侵入する。これによって、吸音材２４の開口部３２の幅Ｌoが吸音材２４の深さＬdよりも小さくなる。
なお、高抵抗部材２８の厚みｔが位置によって異なる場合には、高抵抗部材２８厚みｔは、各位置での厚みの平均値である。
【００２０】
開口部３２の幅Ｌoが吸音材２４の深さＬdよりも小さいことによって、管状部材１２内の音波が開口部３２から吸音材２４内に流入する際に、音圧を保ったまま気体（空気）分子の移動速度が速くなる。吸音材２４による音エネルギーから熱エネルギーへの変換効率は、音圧および気体分子の移動速度に依存する。そのため、音圧を保ったまま気体分子の移動速度が速くなることによって、吸音材２４による音エネルギーから熱エネルギーへの変換効率が高くなる。従って、吸音材単体の場合よりも高い防音性能を得ることができる。
また、吸音材単体の場合よりも高い防音性能を得られるので、吸音材２４（消音装置１４）を小さくして高い通気性を維持することができ、また、システム全体も小型化することができる。
【００２１】
ここで、吸音材の、管状部材の中心軸側の面を、一部を開口した状態で剛体からなるケース部で覆う構成とした場合でも、音波が開口部から吸音材に流入する際に、音圧を保ったまま気体分子の移動速度（粒子速度）が速くなるため、吸音材による音エネルギーから熱エネルギーへの変換効率が高くなって、高い防音性能を得ることができる。
しかしながら、吸音材の開口部以外を剛体からなるケース部で覆う構成とする場合には、吸音材をケース部内に設置するために、ケース部を複数のパーツで構成して分離可能にするなどの必要がある。そのため、構造が複雑になって、組み立てが煩雑になる、コストが増加する、隙間ができやすく性能が低下する等の問題が生じるおそれがある。
【００２２】
これに対して、本発明の消音システムでは、吸音材２４の、管状部材１２内に生じる第一共鳴の音場空間に接続される面、図１に示す例では、管状部材１２の中心軸側の面に、この面の一部を覆う、フィルム状の高抵抗部材２８が配置される構成である。そのため、図１に示す例のように、吸音材２４を収容する、剛体からなるケース部２７は、一面が全開にされた形状として、一体的に形成することができ、また、このケース部２７内に吸音材２４を容易に設置でき、また、高抵抗部材２８を吸音材２４上に容易に設置することができる。すなわち、構造および組み立てを簡易化することができ、コストを低減することができる。
また、安価なフィルム状の高抵抗部材２８を用いることで、コストを低減することができる。また、高抵抗部材２８は、薄いフィルム状の部材であるため、システム全体を小型軽量化することができる。
【００２３】
また、吸音材２４による消音の原理は音波の波長に依存しないので、広い周波数帯域の音を消音することができる。
また、吸音材２４による消音の原理は音波の波長に依存しないので、管状部材１２の長さおよび形状等が異なる場合でも、防音性能を発現することができ、管状部材１２に合わせた設計が不要であり汎用性が高い。
【００２４】
また、吸音材２４による消音の原理は音波の波長に依存しないので、管状部材１２の共鳴周波数に応じて共鳴周波数の音を消音するように設計する必要がない。そのため、共鳴型の吸音材のように、吸音材のサイズを共鳴周波数に合わせたサイズ（λ／４の長さ）とする必要がなく、消音装置１４を小型化することができる。
従って、消音システム内における管状部材１２内に生じる第一共鳴の共鳴周波数における音波の波長をλとすると、吸音材２４の深さＬdを、Ｌd＜０．２５×λとすることができ、消音装置１４を小型化できる。消音装置１４の小型化、防音性能等の観点から、０．０１１×λ＜Ｌd＜０．２５×λを満たすのが好ましい。
【００２５】
また、音波を開口部３２から吸音材２４に侵入しやすくなる点、防音性能、小型化、通気性等の観点から、インピーダンス比Ｚｒと高抵抗部材２８の厚みをｔ（ｍｍ）とは、１．９９≦ｌｏｇ（ｔ×Ｚｒ2.5）≦１１．０を満たすのが好ましく、２．５≦ｌｏｇ（ｔ×Ｚｒ2.5）≦１０．０を満たすのがより好ましく、３．０≦ｌｏｇ（ｔ×Ｚｒ2.5）≦９．０を満たすのがより好ましい。
インピーダンス比Ｚｒと高抵抗部材２８の厚みｔとの関係については、後述するシミュレーションにおいて詳細に説明する。
【００２６】
また、剛性、吸音材の体積割合増加、製作等の観点から、高抵抗部材の厚みｔは、０．０１ｍｍ以上３．００ｍｍ以下が好ましく、０．０２ｍｍ以上２．５０ｍｍ以下がより好ましく、０．０３ｍｍ以上２．００ｍｍ以下がさらに好ましい。
【００２７】
防音性能、小型化等の観点から、吸音材の音響特性インピーダンスの絶対値に対する高抵抗部材の音響特性インピーダンスＺcは、２．４×１０4[ｋｇ・ｍ-2・ｓ-1]以上５×１０7[ｋｇ・ｍ-2・ｓ-1]以下であるのが好ましく、３．０×１０4[ｋｇ・ｍ-2・ｓ-1]以上４×１０7[ｋｇ・ｍ-2・ｓ-1]以下であるのがより好ましく、３．４×１０4[ｋｇ・ｍ-2・ｓ-1]以上１×１０7[ｋｇ・ｍ-2・ｓ-1]以下であるのがさらに好ましい。
【００２８】
なお、吸音材および高抵抗部材の音響特性インピーダンスは以下のようにして測定できる。
吸音材、および、高抵抗部材が不織布等の通気性を有するものの場合には、音響特性インピーダンスは、アルミニウム製の音響管（内径４ｃｍ）に４本のマイクを用いて伝達関数法による測定を行う。この手法は「ASTM E2611-09:Standard Test Method for Measurement of Normal Incidence Sound Transmission of Acoustical Materials Based on the Transfer Matrix Method」に従うものである。
音響管としては、例えば日東紡音響エンジニアリング株式会社製のＷｉｎＺａｃと同一の測定原理であるものを用いることができる。この方法で広いスペクトル帯域において音響透過損失を測定することができる。
１ｃｍ以上の厚み、直径４ｃｍの評価対象を音響管の測定部位に配置し、１００Ｈｚ〜２０００Ｈｚの範囲で音響透過損失測定を行い、音響特性インピーダンスを算出し、３５５Ｈｚ〜７１０Ｈｚの範囲で平均をとり、５００Ｈｚオクターブバンドの音響特性インピーダンスとする。
【００２９】
高抵抗部材が樹脂フィルム等の非通気性のものの場合には、上記の音響管により、内径４０ｍｍの円形枠（音響管と同じ径）に張り付けた試料の反射透過特性を測定し、有限要素法計算ソフトCOMSOL ver5.3（ＣＯＭＳＯＬ社）を用いた数値計算とフィッティングすることによって音響特性インピーダンスを求めることができる。
【００３０】
なお、図１に示す例においては、吸音材２４は略直方体形状としたがこれに限定はされず円筒形状等の種々の形状とすることができる。また、開口部３２の形状も限定はなく、矩形状、多角形状、円形状、楕円形状等の種々の形状とすることができる。
【００３１】
また、軸方向における開口部３２の位置には限定はない。開口部３２の位置によって、より好適に消音する周波数帯を制御することが可能である。
例えば、管状部材１２の第一共鳴周波数の音波を消音する場合には、第一共鳴周波数の音波の音圧が高くなる位置、すなわち、軸方向における管状部材の中央に開口部３２を配置することで、音圧および気体分子の移動速度を高くすることができ、より高い防音性能を発現することができる。
【００３２】
ここで、図４に示すように、吸音材２４の面積をＳ0とし、開口部３２の面積をＳ1とすると、開口部３２の面積Ｓ1は、吸音材２４の面積Ｓ0よりも小さいのが好ましい。開口部３２の面積Ｓ1を、吸音材２４の面積Ｓ0よりも小さくすることで、管状部材１２内の音波が吸音材２４内に流入する際に、音圧を保ったまま気体（空気）分子の移動速度を速くすることができるため、吸音材２４による音エネルギーから熱エネルギーへの変換効率をより高くすることができる。
ここで、吸音材２４の面積Ｓ0および開口部３２の面積Ｓ1はそれぞれ、吸音材２４または開口部３２を通る管状部材１２の中心軸を軸とする円周面における面積である。
なお、管状部材１２の半径方向の位置によって吸音材２４の面積が異なる場合には、吸音材２４の面積Ｓ0は、各位置での面積の平均値である。
また、開口部３２の面積Ｓ1は、開口が最小となる面積である。
【００３３】
気体分子の移動速度を速くする観点では開口部３２の面積Ｓ1が小さいほど好ましいが、開口部３２の面積Ｓ1が小さすぎると音波が吸音材２４内に流入しにくくなるため防音性能が低くなってしまう。以上の観点から、開口部３２の面積Ｓ1は吸音材２４の面積Ｓ0の０.１％＜Ｓ1／Ｓ0＜４０％が好ましく、０.３％＜Ｓ1／Ｓ0＜３５％がより好ましく、０．５％＜Ｓ1／Ｓ0＜３０％がより好ましい。
【００３４】
また、防音性能および通気性の観点から、吸音材２４の深さＬdは、０．０１１×λ＜Ｌd＜０．２５×λを満たすのが好ましく、０．０１６×λ＜Ｌd＜０．２５×λを満たすのが好ましく、０．０２１×λ＜Ｌd＜０．２５×λを満たすのがより好ましい。
また、軸方向に平行な断面において、吸音材２４の深さ方向に直交する方向の吸音材２４の幅Ｌw（図３参照）は、０．００１×λ＜Ｌw＜０．０６１×λを満たすのが好ましく、０．００１×λ＜Ｌw＜０．０５１×λを満たすのがより好ましく、０．００１×λ＜Ｌw＜０．０４１×λを満たすのがさらに好ましい。
なお、吸音材２４の幅Ｌwが位置によって異なる場合には、吸音材２４の幅Ｌwは、各位置での幅の平均値である。
【００３５】
この点について図５を用いて説明する。図５は、図１に示すような消音装置を用いた場合のシミュレーションの結果である。
【００３６】
図５は、（吸音材２４の深さＬd／消音対象の音波の波長λ）と、（吸音材２４の幅Ｌw／消音対象の音波の波長λ）と、気体分子の平均粒子速度ｖおよび平均音圧Ｐの乗算値（｜ｖ｜×｜Ｐ｜）との関係を表すグラフである。（｜ｖ｜×｜Ｐ｜）は、吸音材２４の体積当たりの吸収に比例する値である。
【００３７】
粒子速度ｖおよび音圧Ｐは、有限要素法計算ソフトCOMSOL ver5.3（ＣＯＭＳＯＬ社）の音響モジュールを用いて、吸音材２４の深さＬdと吸音材２４の幅Ｌwとを種々変更して求めた。シミュレーションにおいて管状部材の長さは３００ｍｍ、直径は１００ｍｍとし、吸音材２４は、管状部材１２の外周に環状に設置し、軸方向が深さ方向とした。開口部３２は管状部材の周面方向にスリット状に配置した。開口部３２の幅は１０ｍｍとした。開口部３２は軸方向において管状部材１２の中央に配置した。吸音材２４の、管状部材の中心軸側の面の開口部３２以外の領域には、高抵抗部材２８を配置した。吸音材２４の、管状部材の中心軸側の面以外の面には、剛体（ケース部）を配置した。
管状部材１２の最低共鳴周波数は４６０Ｈｚであった。消音対象の音波の周波数は４６０Ｈｚとした。また、吸音材２４の音響特性インピーダンスは６３０４[ｋｇ／（ｓ・ｍ2）]とした。また、高抵抗部材２８の音響特性インピーダンスは５×１０7[ｋｇ／（ｓ・ｍ2）]、厚みは１ｍｍとした。
すなわち、ｌｏｇ（ｔ×Ｚｒ2.5）は１０．４である。
【００３８】
後述する図３８に示すように、壁で仕切られた一方の空間の半球状の面から音波を入射させ、他方の空間の半球状の面に到達する音波の単位体積あたりの振幅を求めた。半球状の面は、管状部材の開口面の中心位置を中心とした半径５００ｍｍの半球状の面である。入射させる音波は単位体積あたりの振幅を１とした。
【００３９】
図５から、吸収に比例する（｜ｖ｜×｜Ｐ｜）の値は、吸音材２４の幅Ｌwと深さＬdがある範囲で、高くなることがわかる。
【００４０】
また、本発明の消音システムは、吸音材２４の表面積Ｓdに対する開口部３２の面積Ｓ1の比率Ｓ1／Ｓdを０＜Ｓ1／Ｓd＜４０％とすることで、吸音材２４の表面積に対して音波が入射する面の面積の割合を小さくして、高い音圧Ｐを保ったまま吸音材２４に流入する音波に対応する気体分子の移動速度を速くして防音性能を高めることができる。
気体分子の移動速度を速くする観点では開口部３２の面積Ｓ1（比率Ｓ1／Ｓd）は小さいほど好ましいが、開口部３２の面積Ｓ1が小さすぎると音波が吸音材２４内に流入しにくくなるため防音性能が低くなってしまう。以上の観点から、吸音材２４の内壁の表面積Ｓdに対する開口部３２の面積Ｓ1は０.１％＜Ｓ1／Ｓd＜４０％が好ましく、０.３％＜Ｓ1／Ｓd＜３５％がより好ましく、０．５％＜Ｓ1／Ｓd＜３０％がより好ましい。
なお、吸音材２４の表面積Ｓdは、分解能を１ｍｍとして測定する。すなわち、１ｍｍ未満の凹凸等の微細構造を有する場合には、これを平均化して表面積Ｓdを求めればよい。例えば、ＣＯＭＳＯＬのＣＡＤソフトを用いてモデル化して、ＣＯＭＳＯＬで表面積を計算することで表面積Ｓdを求めることができる。
【００４１】
この点について、図５の場合と同様に、図１に示すような消音システムについてシミュレーションを行なった。
シミュレーションにおいて管状部材の長さは３００ｍｍ、直径は１００ｍｍとし、吸音材２４は、管状部材１２の外周に環状に設置し、軸方向が深さ方向とした。開口部３２は管状部材の周面方向にスリット状に配置した。吸音材２４の深さＬdは８０ｍｍ、幅Ｌwは１０ｍｍとした。開口部３２は軸方向において管状部材１２の中央に配置した。吸音材２４の、管状部材の中心軸側の面の開口部３２以外の領域には高抵抗部材２８を配置した。吸音材２４の、管状部材の中心軸側の面以外の面には、剛体（ケース部）を配置した。
また、吸音材２４の流れ抵抗は１３０００［Ｐａ・ｓ／ｍ2］、音響特性インピーダンスは６３０４[ｋｇ／（ｓ・ｍ2）]とした。また、高抵抗部材２８の流れ抵抗は∞（非通気膜）、音響特性インピーダンスは５×１０7[ｋｇ／（ｓ・ｍ2）]、厚みは１ｍｍとした。
すなわち、ｌｏｇ（ｔ×Ｚｒ2.5）は１０．４である。
【００４２】
開口部の幅Ｌoを１０ｍｍ（１ｃｍ）〜７０ｍｍ（７ｃｍ）に変更することで、面積比率Ｓ1／Ｓdを５．３％〜５４．７％に変更して、それぞれ透過音圧を算出した。
結果を図６および図７に示す。
図６中、面積割合５．３％が１ｃｍに対応し、１７．９％が３ｃｍに対応し、２５．３％が４ｃｍに対応し、３３．８％が５ｃｍに対応し、５４．７％が７ｃｍに対応する。なお、透過音圧は、消音装置を設置しなかった場合の透過音圧のピーク（第一共鳴周波数の透過音圧）を１として規格化した。消音装置を設置しない場合の管状部材内の第一共鳴周波数は４６０Ｈｚであるので、４６０Ｈｚにおける透過音圧がピーク音圧である。
【００４３】
図６は、周波数と透過音圧との関係を表すグラフであり、図７は、開口面積の割合と透過音圧のピークとの関係を表すグラフである。
図６および図７からわかるように、吸音材の体積は同じであるにも関わらず、開口部の面積比率Ｓ1／Ｓdが小さいほど、共鳴周波数の透過音圧は小さくなることがわかる。なお、吸音材無しの場合に対して、吸音材を設置した場合の共鳴周波数が低周波側にシフトしているのは音波が存在できる体積が増えたためである。
【００４４】
吸音材２４としては、特に限定はなく、従来公知の吸音材が適宜利用可能である。例えば、発泡ウレタン、軟質ウレタンフォーム、木材、セラミックス粒子焼結材、フェノールフォーム等の発泡材料および微小な空気を含む材料；グラスウール、ロックウール、マイクロファイバー（３Ｍ社製シンサレートなど）、フロアマット、絨毯、メルトブローン不織布、金属不織布、ポリエステル不織布、金属ウール、フェルト、インシュレーションボードおよびガラス不織布等のファイバーおよび不織布類材料；木毛セメント板；シリカナノファイバーなどのナノファイバー系材料；石膏ボード；種々の公知の吸音材が利用可能である。
【００４５】
吸音材２４の流れ抵抗σ1は、音波を開口部３２から吸音材２４に侵入しやすくなる点、防音性能、小型化、通気性の観点から、吸音材２４は、単位厚さ当たりの流れ抵抗σ1［Pa・s/m2］が（１．２５−ｌｏｇ（Ｌd））／０．２４＜ｌｏｇ（σ1）＜５．６を満たすことが好ましく、（１．３２−ｌｏｇ（Ｌd））／０．２４＜ｌｏｇ（σ1）＜５．２を満たすことがより好ましく、（１．３９−ｌｏｇ（Ｌd））／０．２４＜ｌｏｇ（σ1）＜４．７を満たすことがさらに好ましい。なお、上記式において、Ｌdの単位は［ｍｍ］であり、ｌｏｇは自然対数である。
吸音材の流れ抵抗は、１ｃｍ厚の吸音材の垂直入射吸音率を測定し、Ｍｉｋｉモデル（Ｊ．  Ａｃｏｕｓｔ．  Ｓｏｃ．  Ｊｐｎ．，  １１（１）  ｐｐ．１９−２４  （１９９０））でフィッティングすることで評価することができる。または「ＩＳＯ  ９０５３」に従って評価してもよい。
【００４６】
吸音材２４の厚みは限定はない。吸音性能、小型化等の観点から、吸音材２４の厚みは０．０１ｍｍ〜５００ｍｍが好ましく、０．１ｍｍ〜１００ｍｍがより好ましい。
【００４７】
高抵抗部材２８として、吸音材２４よりも音響特性インピーダンスが高いものであれば特に限定はない。例えば、膜状にできる樹脂材料、箔状にできる金属材料、その他繊維状の膜になる材質の材料、不織布、ナノサイズのファイバーを含むフィルム、薄く加工したポーラス材料、薄膜構造に加工したカーボン材料、および、ゴム材料等、薄い構造を形成できる材質又は構造等を挙げることができる。具体的には、金属材料としては、アルミニウム、チタン、ニッケル、パーマロイ、４２アロイ、コバール、ニクロム、銅、ベリリウム、リン青銅、黄銅、洋白、錫、亜鉛、鉄、タンタル、ニオブ、モリブデン、ジルコニウム、金、銀、白金、パラジウム、鋼鉄、タングステン、鉛、イリジウム等の各種金属、および、これら金属の合金を挙げることができる。また、樹脂材料としては、ＰＥＴ（ポリエチレンテレフタレート）、ＴＡＣ（トリアセチルセルロース）、ポリ塩化ビニルデン、ポリエチレン、ポリ塩化ビニル、ポリメチルベンテン、ＣＯＰ（シクロオレフィンポリマー）、ポリカーボネート、ゼオノア、ＰＥＮ（ポリエチレンナフタレート）、ポリプロピレン、および、ポリイミド等の樹脂材料等が利用可能である。その他繊維状の膜になる材質の材料としては、例えば紙、および、セルロース等を挙げることができる。薄く加工したポーラス材料としては、例えば薄く加工したウレタン、および、シンサレート等を挙げることができる。さらに、薄膜ガラスなどのガラス材料、ＣＦＲＰ（炭素繊維強化プラスチック：Ｃａｒｂｏｎ Ｆｉｂｅｒ Ｒｅｉｎｆｏｒｃｅｄ Ｐｌａｓｔｉｃｓ）、および、ＧＦＲＰ（ガラス繊維強化プラスチック：Ｇｌａｓｓ Ｆｉｂｅｒ Ｒｅｉｎｆｏｒｃｅｄ Ｐｌａｓｔｉｃｓ）のような繊維強化プラスチック材料を用いることもできる。また、ゴム材料としては、例えば、シリコーンゴム、および、天然ゴムをあげることができる。
【００４８】
高抵抗部材２８が吸音材２４を覆う面積については特に限定はないが、音場に接続された開口部３２の面積以上の吸音材の面積が高抵抗部材で覆われていることが好ましい。
【００４９】
ケース部２７の材料としては、剛体とみなすことができ、音波を遮蔽することができる材料であれば限定はなく、金属材料、樹脂材料、強化プラスチック材料、および、カーボンファイバ等を挙げることができる。金属材料としては、例えば、アルミニウム、チタン、マグネシウム、タングステン、鉄、スチール、クロム、クロムモリブデン、ニクロムモリブデン、および、これらの合金等の金属材料を挙げることができる。また、樹脂材料としては、例えば、アクリル樹脂、ポリメタクリル酸メチル、ポリカーボネート、ポリアミドイド、ポリアリレート、ポリエーテルイミド、ポリアセタール、ポリエーテルエーテルケトン、ポリフェニレンサルファイド、ポリサルフォン、ポリエチレンテレフタラート、ポリブチレンテレフタラート、ポリイミド、および、トリアセチルセルロース等の樹脂材料を挙げることができる。また、強化プラスチック材料としては、炭素繊維強化プラスチック（ＣＦＲＰ：Carbon Fiber Reinforced Plastics）、および、ガラス繊維強化プラスチック（ＧＦＲＰ：Glass Fiber Reinforced Plastics）を挙げることができる。
ここで、ケース部２７は、排気口等に利用可能な点から、難燃材料より耐熱性の高い材料からなることが好ましい。耐熱性は、例えば、建築基準法施行令の第百八条の二各号を満たす時間で定義することができる。建築基準法施行令の第百八条の二各号を満たす時間が５分間以上１０分間未満の場合が難燃材料であり、１０分間以上２０分間未満の場合が準不燃材料であり、２０分間以上の場合が不燃材料である。ただし耐熱性は各分野ごとで定義されることが多い。そのため、消音システムを利用する分野に合わせて、ケース部２７を、その分野で定義される難燃性相当以上の耐熱性を有する材料からなるものとすればよい。
【００５０】
ここで、図１に示す例においては、消音装置１４は、管状部材１２の外周部に配置される構成としたが、これに限定はされず、消音装置１４は、開口部３２が管状部材１２の第一共鳴の音場空間に接続される位置に配置されていればよい。例えば、図８に示す消音システム１０ｃのように、消音装置１４が管状部材１２の内部に配置されていてもよい。あるいは、後述する図２２に示す消音システム１０ｋのように、消音装置１４（吸音材２４）が壁１６の一方の端面側に、すなわち、管状部材１２の開口端面の外側に配置されていてもよい。
なお、図８に示す消音システム１０ｃおよび図２２に示す消音システム１０ｋにおいて、消音装置１４は開口部３２が管状部材１２の中心軸側を向くように配置されている。
【００５１】
また、図１に示す例では、吸音材２４の、管状部材１２の中心軸側の面以外の面は、ケース部２７で覆われる構成としたが、これに限定はされない。図８に示す例のように、吸音材２４の、管状部材１２の中心軸側の面以外の面も高抵抗部材２８で覆われる構成としてもよい。また、吸音材２４の、管状部材１２の中心軸側の面以外の面の一部が高抵抗部材２８で覆われて、残りの部分がケース部２７で覆われる構成としてもよい。
【００５２】
また、図１に示す例では、消音装置１４は、一部を高抵抗部材２８で覆われた吸音材２４を１つ有する構成としたが、これに限定はされず、一部を高抵抗部材２８で覆われた吸音材２４を２以上有する構成としてもよい。例えば、図９に示す消音システム１０ｆのように、２つの吸音材２４を管状部材１２の外周面に配置して、開口部３２および高抵抗部材２８を有する面を、管状部材１２の周面に形成された周面開口部１２ａに配置する構成としてもよい。あるいは、図１０に示す消音システム１０ｇのように、開口部３２を除いて周囲を高抵抗部材２８で覆われた吸音材２４を管状部材１２の内部に配置する構成としてもよい。
【００５３】
２以上の吸音材２４を有する場合には、２以上の吸音材２４は管状部材１２の中心軸に対して回転対称に配置されていることが好ましい。
例えば、図１１に示すように、３つの吸音材２４を有し、３つの吸音材２４が管状部材１２の外周面に、周面方向に等間隔に配置されて回転対称となる構成としてもよい。あるいは、図１２に示すように、６つの吸音材２４を有し、６つの吸音材２４が管状部材１２の外周面に等間隔に配置されて回転対称となる構成としてもよい。なお、吸音材２４の数はこれらに限定はされず、例えば、２つの吸音材２４が回転対称に配置される構成であってもよいし、４つの吸音材２４が回転対称に配置される構成であってもよい。
【００５４】
吸音材２４が管状部材１２の内部に配置される場合も同様に、２以上の吸音材２４が回転対称に配置されるのが好ましい。
例えば、図１３に示すように、４つの吸音材２４が管状部材１２の内部（内側の周面（内周面））に、周面方向に等間隔に配置されて回転対称となる構成としてもよい。
【００５５】
また、複数の吸音材２４を周面方向に配列して配置する構成の場合には、各吸音材２４を収容するケース部２７を連結してもよい。例えば、図１４に示す例のように、８つの吸音材２４を周面方向に連結した構成としてもよい。
【００５６】
また、図１に示す例では、吸音材２４は略立方体形状としたが、これに限定はされず、各種の立体形状であればよい。
例えば、図１５に示すように、吸音材２４は、周面方向において管状部材１２の外周面の全周に沿った円環状であってもよい。この場合、高抵抗部材２８は、例えば、軸方向の一部を除いて吸音材２４の内周面の全周を覆う。これによって、開口部３２は、管状部材１２の内周面の周面方向に沿ったスリット状に形成される。
【００５７】
吸音材２４が管状部材１２内に配置される場合も同様に、図１６に示すように、吸音材２４は、周面方向において管状部材１２の内周面の全周に沿った円環状であってもよい。この場合も、高抵抗部材２８は、例えば、軸方向の一部を除いて吸音材２４の内周面の全周を覆う。開口部３２は、管状部材１２の内周面の周面方向に沿ったスリット状に形成される。
【００５８】
また、吸音材２４が管状部材１２の外周面に配置される場合において、吸音材２４が周面方向において管状部材１２の外周面の全周を覆うと想定した場合の吸音材２４の外径（実効外径）をＤ1とし、管状部材１２の外径（実効外径）をＤ0とすると（図１５参照）、Ｄ1＜Ｄ0＋２×（０．０４５×λ＋５ｍｍ）を満たすのが好ましい。なお、式中のＤ1、Ｄ0およびλの単位はｍｍである。
これにより、消音システムの大型化を抑制しつつ、高い防音性能を発現することができる。
なお、実効外径は、円相当直径であり、断面が円形ではない場合、その断面積と同じ円の直径を実効外径とした。
【００５９】
また、吸音材２４が管状部材１２の内周面に配置される場合において、吸音材２４が周面方向において管状部材１２の内周面の全周を覆うと想定した場合の吸音材２４の内径をＤ2とし、管状部材１２の内径をＤ0とすると（図１０参照）、０．７５×Ｄ0＜Ｄ2を満たすのが好ましい。
これにより、消音システムの大型化を抑制して通気性を確保しつつ、高い防音性能を発現することができる。
【００６０】
また、図９〜図１４に示す例では、複数の吸音材２４を管状部材１２の周面方向に配列した構成としたが、これに限定はされず、複数の吸音材２４を管状部材１２の軸方向に配列した構成としてもよい。言い換えると、管状部材１２の軸方向の少なくとも２箇所以上の位置に、複数の吸音材２４の開口部３２が配置される構成としてもよい。
【００６１】
例えば、図１７に示す消音システム１０ｈは、軸方向において、管状部材１２の略中央部に配置される吸音材２４ａと、管状部材１２の一方の端部近傍に配置される吸音材２４ｂとを有する。吸音材２４ａおよび吸音材２４ｂそれぞれの、管状部材１２の中心軸側の面の一部は高抵抗部材（２８ａおよび２８ｂ）で覆われて、残りの部分が開口部（３２ａおよび３２ｂ）となっている。管状部材１２の、吸音材２４ａおよび吸音材２４ｂそれぞれの配置位置には周面開口部１２ａが形成されており、吸音材２４の、開口部３２および高抵抗部材２８を有する面が、管状部材１２の周面に形成された周面開口部１２ａに配置されている。
【００６２】
また、図１７に示す例では、周面方向にもそれぞれ２つの吸音材を回転対称に配置している。このように、周面方向および軸方向のそれぞれで、２つ以上の吸音材を配置してもよい。
【００６３】
なお、図１７に示す例では、軸方向に２つの吸音材を配置する構成としたが、これに限定はされず、軸方向に３つ以上の吸音材を配置する構成としてもよい。
【００６４】
また、複数の吸音材を軸方向に配置する構成とする場合には、開口部の位置ごとに吸音材の長さＬdが異なる吸音材を配置することが好ましい。
例えば、図１８に示す消音システム１０ｉは、軸方向において、管状部材１２の略中央部に配置される吸音材２４ａと、管状部材１２の一方の端部近傍に接続される吸音材２４ｂとを有する。中央部側の吸音材２４ａの深さＬdと、端部側の吸音材２４ｂの深さＬdとは互いに異なる。
【００６５】
また、複数の吸音材を軸方向に配置する構成とする場合には、開口部の位置ごとに吸音材の音響特性を異なるものとしてもよい。
例えば、図１７に示す例において、吸音材２４ａの吸音特性と吸音材２４ｂの吸音特性とを互いに異なるものとしてもよい。
【００６６】
本発明の消音システムにおいては、軸方向における吸音材（開口部）の配置位置に応じて、好適に消音可能な波長が変化する。従って、軸方向に複数の吸音材を配置することで異なる波長域の音を消音することができ、より広帯域に消音することができる。また、軸方向における開口部の位置ごとに好適に消音可能な波長に合わせて、吸音材の深さＬd、および、吸音体の吸音特性を調整することによって、より好適に消音することができる。
【００６７】
また、図１に示す例では、吸音材２４は開口部３２から軸方向に深さＬdを有する構成としたが、これに限定はされず、開口部３２から周面方向に深さを有する構成としてもよい。
【００６８】
図１９は、本発明の消音システムの他の一例を模式的に表す断面図であり、図２０は、図１９のＣ−Ｃ線断面図である。
図１９および図２０に示す消音システムにおいては、管状部材１２の周面方向に沿って２つの周面開口部が形成されており、周面開口部の位置に、２つの吸音材２４が管状部材１２の外周面に沿って配置されている。吸音材２４の、管状部材１２の中心軸側の面は、周面方向において、一部が開口部３２とされ、残りの部分が高抵抗部材２８で覆われている。
従って、吸音材２４は、開口部３２から管状部材１２の周面方向に沿って延在している。すなわち、吸音材２４は開口部３２から周面方向に深さを有する。
このような構成とすることで、吸音材の軸方向の長さを短くすることができる。
【００６９】
なお、図２０に示す例では、２つの吸音材２４を有する構成としたが、これに限定はされず、３以上の吸音材２４を有していてもよい。例えば、図２１に示す例のように、５つの吸音材２４を有する構成としてもよい。
【００７０】
ここで、本発明の消音システムにおいて、吸音材を壁１６（管状部材１２）の一方の端面側に配置する場合には、消音装置の一部を、管状部材（通気スリーブ）に挿入して配置する構成としてもよい。
図２２に本発明の消音システムの他の一例の模式的な断面図を示す。
図２２に示す消音システム１０ｋは、壁１６（管状部材１２）の一方の端面側に、管状部材１２を通過する音を消音する消音装置１４が設置された構成を有する。
【００７１】
消音装置１４は、挿入部２６と、吸音材２４と、吸音材２４を収容するケース部２７と、吸音材２４の、管状部材１２の中心軸側の面の一部を覆う高抵抗部材２８と、を有する。
挿入部２６は、両端が開放された筒状の部材で、一方の端面にケース部２７が固定されている。また、挿入部２６の外径は、管状部材１２の内径と略同じで、管状部材１２内に挿入可能である。
ケース部２７は、挿入部２６の端面に固定される以外は、図１のケース部２７と同様の構成を有する。また、ケース部２７は、挿入部２６の内径を塞がないように、挿入部２６の周面に沿って配置されている。また、ケース部２７はその開放面が挿入部２６の中心軸（管状部材１２の中心軸）側を向くように挿入部２６に固定されている。
ケース部２７内には吸音材２４が配置されており、吸音材２４の、管状部材１２の中心軸側の面（すなわち、ケース部２７の開放面側の面）の一部は高抵抗部材２８で覆われている。
【００７２】
消音装置１４は、挿入部２６のケース部２７が配置されていない端面側から管状部材１２内に挿入されて設置されている。ケース部２７の外径は管状部材１２の内径よりも大きいため、挿入部２６は、ケース部２７が管状部材１２の端面に接する位置まで挿入される。これにより、吸音材２４は管状部材１２の開口端面近傍に配置される。すなわち、吸音材２４の開口部３２は、管状部材１２の開口端補正距離内の空間に配置される。従って、吸音材２４の開口部３２は、管状部材１２の第一共鳴の音場空間に接続される。
【００７３】
このように、挿入部を有する消音装置の挿入部を管状部材内に挿入して設置する構成とすることで、既存の換気口および空調ダクト等に大規模な工事等を行うことなく簡易に、消音装置を設置することが可能となる。従って、吸音材が劣化あるいは破損した時の交換が簡易である。また、住宅の換気スリーブなどに使用する場合は、コンクリート壁の貫通穴径を変える必要がなく施工が簡易である。また、リノベーション時に後付けで設置することが簡易である。
【００７４】
また、マンションのような住宅の壁は、例えば、コンクリート壁、石膏ボード、断熱材、化粧板、および、壁紙等を有して構成されており、これらを貫通して換気スリーブが設けられている。このような壁の換気スリーブに、図２２に示すような消音装置１４を設置する場合には、本発明における壁１６はコンクリート壁に相当し、消音装置１４の吸音材２４部分はコンクリート壁の外側に設置されて、コンクリート壁と化粧板の間に設置されるのが好ましい（図３０参照）。
【００７５】
なお、図２２に示す例では、消音装置１４の挿入部２６を管状部材１２内に挿入して、消音装置１４を管状部材１２の開口部に配置する構成としたが、これに限定はされない。
例えば、図２３に示す消音システム１０ｎのように、消音装置１４が挿入部を有さず、壁１６に接着剤等で貼り付ける構成としてもよい。
あるいは、図２４に示す消音システム１０ｐのように、消音装置１４の挿入部２６の内径を壁１６に配置された管状部材１２の外径と略同じ径として、消音装置１４の挿入部２６内に管状部材１２を挿入して、消音装置１４を設置する構成としてもよい。挿入部２６は、管状部材１２と壁１６との間に配置される。
あるいは、図２５に示す消音システム１０ｑのように、消音装置１４の挿入部２６の内径を管状部材１２の外径よりも大きくして、挿入部２６が壁１６内に配置される構成としてもよい。
図２３〜図２５に示すような構成にすることにより、挿入部２６を管状部材１２に挿入することによる開口率の低下を抑制でき、管状部材１２の通気性を向上できる。
【００７６】
なお、図２４および図２５に示すように、挿入部２６を壁１６内に配置する構成とする場合には、挿入部２６の大きさおよび形状に合わせて、壁１６に挿入部２６を配置するための溝を形成すればよい。あるいは、壁１６を作製する際に、あらかじめ消音装置１４（および管状部材１２）を設置しておき、コンクリートを流し込んで壁１６を作製してもよい。
【００７７】
また、吸音材２４を壁１６の一方の端面側に配置する構成とする場合にも、消音装置１４は、複数の吸音材２４を有するのが好ましい。
複数の吸音材２４を有する場合には、周面方向に等間隔に配置されて回転対称となる構成としてもよい。
あるいは、図２６に示す消音システム１０ｌのように軸方向に複数の吸音材２４（２４ａおよび２４ｂ）を有し、軸方向の少なくとも２箇所以上の位置に、複数の吸音材２４の開口部３２（３２ａおよび３２ｂ）が配置される構成としてもよい。
【００７８】
また、複数の吸音材を軸方向に配置する構成とする場合には、開口部の位置ごとに吸音材の深さＬdが異なる吸音材を配置することが好ましい。
例えば、図２７に示す消音装置は、軸方向に挿入部２６側から吸音材２４ａと吸音材２４ｂとを有する。吸音材２４ａの深さＬdと、吸音材２４ｂの深さＬdとは互いに異なる。
【００７９】
また、複数の吸音材を軸方向に配置する構成とする場合には、開口部の位置ごとに吸音材の音響特性を異なるものとしてもよい。
例えば、図２６に示す消音装置において、吸音材２４ａの吸音特性と吸音材２４ｂの吸音特性とは互いに異なるものとしてもよい。
【００８０】
また、消音装置は、ケース部を分離可能に構成されていてもよい。ケース部を分離可能とすることで、ケース部（吸音材）の大きさおよび数等を変えた消音装置の作製が容易となる。
【００８１】
また、図２８に示すように、消音装置１４は、管状部材１２に着脱可能に設置されるのが好ましい。これにより、消音装置１４の交換、あるいはリフォーム等を簡単に行うことができる。
また、消音装置１４は、管状部材１２の室内側の端面、および、室外側の端面のどちらに設置してもよいが、室内側の端面に設置されるのが好ましい。
【００８２】
また、消音システムは、管状部材のいずれか一方の端面に設置されるカバー部材および他方の端部に設置される風量調整部材の少なくとも一方を有していてもよい。カバー部材は、換気口および空調用ダクト等に設置される従来公知の、ルーバ、ガラリ等である。また、風量調整部材は、従来公知のレジスター等である。
また、カバー部材および風量調整部材は、管状部材の消音装置が設置された側の端面に設置されてもよいし、消音装置が設置されていない側の端面に設置されてもよい。
また、例えば、図２９に示すように、風量調整部材２０が消音装置１４側に設置される場合には、軸方向から見た際に、風量調整部材２０が消音装置１４を全て覆うように設置されるのが好ましい。カバー部材が消音装置１４側に設置される場合も同様である。
【００８３】
ここで、マンション等の一般的な住宅においては、コンクリート壁と化粧板とが離間して設置されており、コンクリート壁と化粧板との間に、断熱材等が配置されている。消音装置１４は、コンクリート壁と化粧板との間の空間に設置するのが好ましい。その際、図３０に示すように、消音装置１４は化粧板４０側の端面が、化粧板４０の壁１６側の面よりも壁１６側に配置される構成としてもよい。あるいは、図３１に示すように、消音装置１４は化粧板４０側の端面が、化粧板４０の壁１６とは反対側の面と面一に配置される構成としてもよい。すなわち、化粧板４０に形成される貫通孔を消音装置１４の外径と略同じにして、化粧板４０の貫通孔に消音装置１４を挿通させる構成としてもよい。なお、図３１に示す例では、消音装置１４は化粧板４０側の端面と、化粧板４０の壁１６とは反対側の面とが面一となる構成としたが、これに限定はされず、消音装置１４の一部が、化粧板４０がある平面上に存在する構成であってもよい。
化粧板４０の貫通孔に消音装置１４を挿通させる構成とすることで、消音装置の設置、交換等が容易になる。
【００８４】
消音装置１４の吸音材２４は、サイズが大きいほど消音性能が高くなる。
ここで、図３１に示すように、消音装置１４は化粧板４０側の端面が、化粧板４０の壁１６とは反対側の面と面一に配置される構成の場合には、吸音材２４のサイズが大きいと、化粧板４０側にレジスターのような風量調整部材２０を設置しても、室内から化粧板４０に形成した貫通孔（消音装置１４と化粧板４０との境界）が視認されてしまうおそれがある。従って、図３２に示すように、風量調整部材２０と化粧板４０および消音装置１４との間に、境界カバー４２を設置するのが好ましい。これにより、室内側（風量調整部材２０側）から見た際に、図３３に示すように、化粧板４０の貫通孔が境界カバー４２によって隠れるので、意匠性を高めることができる。
【００８５】
なお、図３２に示す例では、消音装置１４と境界カバー４２とを別部材としたが、消音装置１４と境界カバー４２を一体的に形成してもよい。すなわち、消音装置１４のケース部２７にフリンジを設けて境界カバー４２としてもよい。
【００８６】
また、図３０等に示す例においては、消音装置１４の内径は、管状部材１２と略同じ径で一様としたが、これに限定はされない。図３４に示す消音システム１０ｒのように、ケース部２７の内径を挿入部２６の内径よりも大きく、すなわち、管状部材１２の内径よりも大きくしてもよい。
ケース部２７の内径を管状部材１２の内径よりも大きくすることで、管状部材１２の径よりも大きい径の管状部材用の、大きな風量調整部材２０を用いることができる。大きな風量調整部材２０を用いることで、化粧板４０の貫通孔が風量調整部材２０によって隠れるので、意匠性を高めることができる。
【００８７】
また、図３６に示す消音システム１０ｓのように、消音装置１４と風量調整部材２０とを一体化してもよい。
図３１等に示すように、市販のレジスター等の風量調整部材２０は、差込部を有し、差込部を消音装置１４に差し込んで設置される。しかしながら、市販のレジスターの差し込み部は、接続時の剛性および密閉性確保のため、長さが５ｃｍ程度あり、消音装置１４の設計が制限されるおそれがある。これに対して、図３６のように、消音装置１４と風量調整部材２０とを一体化することで、消音装置１４の設計自由度が高くなり、また、施工も簡易化される点で好ましい。
【００８８】
なお、消音システムが、カバー部材および風量調整部材を有する場合には、管状部材内に生じる第一共鳴は、カバー部材、風量調整部材および消音装置を含む消音システムにおける管状部材の第一共鳴である。従って、吸音材の長さＬdは、カバー部材、風量調整部材および消音装置を含む消音システムにおける管状部材の第一共鳴の共鳴周波数における音波の波長λの１／４よりも短いのが好ましい。
【００８９】
また、図１等に示す例においては、吸音材２４の、開口部３２以外の面は、高抵抗部材２８およびケース部２７で覆われる構成としたが、これに限定はされず、高抵抗部材２８で囲まれる空間、あるいは、高抵抗部材２８およびケース部２７で囲まれる空間内の少なくとも一部に吸音材２４が配置される構成であればよい。すなわち、吸音材２４と空間とからなる吸音空間を高抵抗部材２８（およびケース部２７）で覆う構成としてもよい。
なお、吸音材２４と空間とからなる吸音空間を高抵抗部材２８（およびケース部２７）で覆う構成の場合でも、高抵抗部材２８は、少なくとも吸音材２４の一部を覆う。
【００９０】
また、本発明の消音システムにおいて、他の市販の防音部材を有していてもよい。
例えば、図３６に示すように、管状部材１２の一方の端部には、本発明における消音装置１４が配置され、管状部材１２の内部には、内挿型消音器５０が配置される構成としてもよい。
また、図３７に示すように、管状部材１２の一方の端部には、本発明における消音装置１４が配置され、管状部材１２の他方の端部には、野外設置型の防音フード５２が配置される構成としてもよい。
あるいは、管状部材１２の一方の端部には、本発明における消音装置１４が配置され、管状部材１２の内部には、内挿型消音器５０が配置され、管状部材１２の他方の端部には、野外設置型の防音フード５２が配置される構成としてもよい。
このように、他の防音部材と組み合わせることで、より広い帯域で高い防音性能を得られる。
【００９１】
内挿型消音器５０としては、種々の公知の内挿型消音器が利用可能である。例えば、株式会社新協和製：防音スリーブ（SK-BO100等）、大建プラスチックス株式会社製：防音スリーブ（100NS2等）、西邦工業株式会社製  自然換気用サイレンサー（SEIHO NPJ100等）、株式会社ユニックス製：サイレンサー（UPS100SA等）、株式会社建友製：サイレントスリーブＰ（HMS-K等）等を用いることができる。
野外設置型の防音フード５２としては、種々の公知の防音フードが利用可能である。例えば、株式会社ユニックス製：防音フード（SSFW-A10M等）、株式会社シルファー製：防音型フード（BON-TS等）等を用いることができる。
【実施例】
【００９２】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【００９３】
［シミュレーション］
まず、本発明の消音システムについてシミュレーションを行なった結果を説明する。
シミュレーションは、有限要素法計算ソフトCOMSOL ver5.3（ＣＯＭＳＯＬ社）の音響モジュールを用いて行なった。
【００９４】
図３８に、シミュレーションモデルを示す。図３８に示すように、壁１６の厚みは２０９ｍｍとし、管状部材１２の直径は１００ｍｍとした。吸音材２４は、管状部材１２の外周に環状に配置し、軸方向が深さ方向とし、軸方向の長さは６０ｍｍとし、吸音材の幅Ｌwは１０ｍｍとした。開口部３２は管状部材１２の周面方向にスリット状に配置した。開口部３２の幅は１２ｍｍとした。吸音材の深さＬdは５４ｍｍである。壁の、音波の入射側の面から開口部３２までの距離は１０２ｍｍとした。開口部３２は、吸音材２４の音波の入射側の端部に形成されるものとした。吸音材２４の、管状部材の中心軸側の面の開口部３２以外の領域には、高抵抗部材２８を配置した。吸音材２４の、管状部材の中心軸側の面以外の面は剛体と接するものとした。
また、吸音材２４の流れ抵抗は２７０００［Ｐａ・ｓ／ｍ2］、音響特性インピーダンスは８２６［ｋｇ／（ｓ・ｍ2）］とした。また、高抵抗部材２８の音響特性インピーダンスは、５×１０7［ｋｇ／（ｓ・ｍ2）］とした。
厚みは．５ｍｍとした。
【００９５】
また、管状部材１２の、音波の入射側の開口部にはガラリ（カバー部材）が配置され、音波の出射側の開口部にはレジスター（風量調整部材）が配置される構成とした。
ガラリ、および、レジスターは、市販のものを参考にモデル化した。
【００９６】
［参考例］
まず、リファレンスとして、消音装置を設置しない場合（ストレート管の場合）の管状部材を透過する音波についてシミュレーションを行なった。シミュレーションによって、管状部材を透過して一方の空間から他方の空間に伝搬する音波の音圧（透過音圧）と周波数との関係を算出した。結果を図３９に示す。
図３９に示すように、消音装置を設置しない場合には、管状部材に生じる共鳴の共鳴周波数で透過音圧が高くなっている。第一共鳴周波数は５１０Ｈｚである。
【００９７】
［シミュレーション１］
次に、シミュレーション１として、図３８に示すように、管状部材１２の外周面に吸音材２４（消音装置１４）を配置した構成について、吸音材２４の音響特性インピーダンスの絶対値に対する高抵抗部材の音響特性インピーダンスの比Ｚｒを種々変更して、シミュレーションを行ない、周波数と透過損失との関係を算出した。具体的には、インピーダンス比Ｚｒが、１．０４、１．８５、３．４１、７．００、１３．７５、２９．０８、５７．９７の場合について、それぞれシミュレーションを行なった。
結果を図３９に示す。なお、透過音圧は、リファレンスにおける第一次共鳴周波数の透過音圧を１として規格化した値である。
また、図３９に示す透過音圧と周波数との関係から、３５０Ｈｚ以上７１０Ｈｚ以下の周波数での透過損失の平均値を、５００Ｈｚオクターブバンドの透過損失として求めた。５００Ｈｚオクターブバンドの透過損失とインピーダンス比Ｚｒとの関係を図４０に示す。
【００９８】
図３９および図４０に示すように、インピーダンス比Ｚｒが高いほど、すなわち、高抵抗部材２８の音響特性インピーダンスが高いほど、透過音圧が低くなっており、防音性能が高いことがわかる。
図３９から、特に、第一共鳴周波数近傍において透過音圧が選択的に低くなっており、この周波数帯での防音性能が高いことがわかる。本発明の消音システムにおいて、吸音材２４による吸音の効果が、音圧および気体分子の粒子速度に依存する。そのため、本発明の消音システムは、管状部材の共鳴現象によって音圧が高くなる第一共鳴周波数近傍で防音性能が高くなる。
また、図４０に、高抵抗部材が剛体の場合、および、高抵抗部材が無い場合の、５００Ｈｚオクターブバンドの透過損失の値を破線で示す。
【００９９】
［シミュレーション２］
次に、シミュレーション２として、各インピーダンス比Ｚｒの場合において、高抵抗部材２８の厚みｔを種々変更してシミュレーションを行ない、周波数と透過損失との関係を算出し、５００Ｈｚオクターブバンドの透過損失を求めた。
結果を図４１に示す。
【０１００】
図４１から、高抵抗部材２８の厚みｔが厚くなるほど５００Ｈｚオクターブバンドの透過損失が高くなることがわかる。一方で、インピーダンス比Ｚｒと厚みｔとが十分に高い場合には、５００Ｈｚオクターブバンドの透過損失は、略一定の値となることがわかる。以上から、透過損失は、インピーダンス比Ｚｒと厚みｔとに依存することがわかる。
【０１０１】
そこで、インピーダンス比Ｚｒおよび高抵抗部材２８の厚みｔを含むパラメータＰtZを、ＰtZ＝ｌｏｇ（ｔ×Ｚｒ2.5）と定義して、インピーダンス比Ｚｒおよび高抵抗部材２８の厚みｔを種々変更してシミュレーションを行ない、パラメータＰtZと５００Ｈｚのピーク音吸音の効果発現率（以下、単に「効果発現率」ともいう）［％］との関係を求めた。
５００Ｈｚのピーク音吸音の効果発現率Ｒとは、高抵抗部材なしの時の透過損失をＴＬmin、高抵抗部材が剛体の時の透過損失をＴＬmmax、高抵抗部材が任意のインピーダンスを持つ場合の透過損失をＴＬＸすると、以下のように定義される。
Ｒ＝１００×（ＴＬＸ―ＴＬmin）／（ＴＬmmax−ＴＬmin）
【０１０２】
図４２から、パラメータＰtZと効果発現率との間にはある一定の関係が成り立つことがわかる。パラメータＰtZと効果発現率Ｙｅとの関係式をフィッティングにより求めたところ、下記の関係式が成り立つことがわかった。
Ｙｅ＝１００／（１＋ｅｘｐ（−（ＰtZ−１．９６１）／０．４３９０））
【０１０３】
この関係式から、効果発現率Ｙｅを５０％以上とするためにはパラメータＰtZ（＝ｌｏｇ（ｔ×Ｚｒ2.5））は１．９９以上とする必要があることがわかる。また、効果発現率Ｙｅを８０％以上にできる点からパラメータＰtZは２．６２以上であるのが好ましく、効果発現率Ｙｅをほぼ１００％にできる点からパラメータＰtZは３．８８以上であるのがより好ましい。
【０１０４】
［シミュレーション３］
次に、吸音材２４の流れ抵抗についてシミュレーションを行なった結果について説明する。
シミュレーション１のモデルにおいて、吸音材２４の流れ抵抗を種々変更してシミュレーションを行なった結果を図４３に示す。インピーダンス比Ｚｒは、５７．９７とした。
図４３から流れ抵抗には最適な範囲があることがわかる。これは、流れ抵抗が大きくなりすぎると吸音材２４内を通過しにくくなり、吸音材２４による音エネルギーから熱エネルギーへの変換効率が低くなってしまうためである。
【０１０５】
また、以上のシミュレーション結果に基づいて、吸音材２４の深さＬdと吸音材２４の流れ抵抗との組み合わせに対して、透過音圧を測定した結果を図４４および図４５に示す。図４４は、吸音材２４の深さＬdが１０ｍｍ（１ｃｍ）〜１４０ｍｍ（１４ｃｍ）それぞれの場合の、吸音材２４の流れ抵抗と透過音圧のピーク値との関係を表すグラフである。図４５は、吸音材２４の深さＬdと吸音材２４の流れ抵抗に対する透過音圧のピーク値を表すグラフである。
図４４および図４５に示すように、吸音材２４の流れ抵抗は、吸音材２４の深さＬdに応じて好適な範囲があることがわかる。この結果から、本発明の共鳴音を選択的に吸音する効果が表れる流れ抵抗の範囲は、（ｌｏｇ（０．１×Ｌd）−１．２５）／０．２４＜ｌｏｇ（σ1）＜５．６が好ましく、（ｌｏｇ（（０．１×Ｌd））−１．３２）／０．２４＜ｌｏｇ（σ1）＜５．２がより好ましく、（ｌｏｇ（（０．１×Ｌd））−１．３９）／０．２４＜ｌｏｇ（σ1）＜４．７がさらに好ましい。なお、上記式において、Ｌdの単位は［ｍｍ］であり、流れ抵抗σ1の単位は［Ｐａ・ｓ／ｍ2］であり、ｌｏｇは自然対数である。
【０１０６】
［実測結果］
次に、消音システムを作製して防音性能を評価した結果について説明する。
性能評価には、図４６に示すような簡易小型防音室を用いた。
【０１０７】
図４６に示す簡易防音室は、５面を吸音ウレタンフォームＷ3（厚み１００ｍｍ、富士ゴム産業株式会社製  Ｕ００Ｆ２）およびその外側に配置される厚み５ｍｍのアクリル板Ｗ1で囲まれ、残りの１面を、防音室内側からアルミニウム板Ｗ5（厚み３ｍｍ）、グラスウールＷ6（正城通商株式会社製  ３２５０１２１１  密度３２ｋｇ／ｍ3  ノンホルムアルデヒド）およびアクリル板Ｗ1からなる壁部材（本発明における壁１６に相当）で閉塞されている。壁部材の合計厚みは１００ｍｍとした。さらに、壁部材から１１０ｍｍ離間して、壁部材に平行にアクリル板Ｗ1（本発明における化粧板に相当）が配置されている。
また、５面の吸音ウレタンフォームＷ3のうち、左右面に配置される３面の内側の面には、波型の吸音ウレタンフォームＷ4（最大厚み３５ｍｍ、富士ゴム産業株式会社製  Ｕ００Ｆ６）が配置されている。防音室内の大きさは、８００ｍｍ×８００ｍｍ×９００ｍｍとした。
アルミニウム板Ｗ5、グラスウールＷ6およびアクリル板Ｗ1からなる壁部材には、壁部材を貫通して、内径１００ｍｍ、長さ１００ｍｍの塩化ビニル製の通気スリーブ（管状部材）１２を設置した。また、化粧板（アクリル板Ｗ1）には、通気スリーブの軸方向から見た際に、通気スリーブと同じ位置に１００ｍｍの開口を設けた。
なお、アクリル板Ｗ1およびアルミニウム板Ｗ5は端部を３０ｍｍ角のアルミニウム製のフレームＦｒに固定して支持した。
【０１０８】
通気スリーブ１２の防音室内の端面にはカバー部材１８として横ガラリ（株式会社ユニックス製  ＳＧ−ＣＢ）を取り付け、通気スリーブ１２の外側の端面には風量調整部材２０としてレジスター（株式会社ユニックス製  ＫＲＰ−ＢＷＦ）を取り付けた。
【０１０９】
防音室内には、ピンクノイズを発生させるスピーカーＳＰ（ＦＯＳＴＥＸ社製  かんすぴセット ＫＡＮＳＰＩ−８）を２つ配置した。また、防音室外のレジスター２０から５０ｃｍ離間した位置には、音波検出用の測定用マイクロフォンＭＰ（株式会社アコー製  ＴＹＰＥ４１５２Ｎ）を配置した。
【０１１０】
まず、通気スリーブ１２内に、リファレンス用遮音材として、その内径と同サイズ（１００ｍｍ径）の円形のアクリル板（厚み５ｍｍ）を１０枚重ねて配置した。これにより、この通気スリーブ１２を通過する音をほぼ完全に遮蔽した。この状態で２つのスピーカーＳＰからノイズを発生させて、測定用マイクロフォンＭＰで、サンプリングレート２５０００Ｈｚで１０秒間、音圧を測定した。測定した音圧のデータに対してフーリエ変換を行い周波数スペクトルを算出した。フーリエ変換後のデータは１０Ｈｚ間隔で平均化した。このデータをバックグラウンドデータとする。
【０１１１】
次に、レジスター２０を全開にして上記と同様に音圧を測定して、音圧のデータに対してフーリエ変換を行い周波数スペクトルを算出し、バックグラウンドデータとの差分を求めてリファレンスデータとした。
【０１１２】
［比較例１］
次に、比較例１として、リファレンス用遮音材を取り除き、通気スリーブ１２内に吸音材２４を設置した。吸音材２４として吸音ウレタン（株式会社イノアック製  カームフレックスＦ−２）を円筒形状にして用いた（図４７参照）。軸方向の長さを７０ｍｍ、外径を１００ｍｍ、内径を７０ｍｍとした。また、吸音材２４の音響特性インピーダンスを前述の方法で測定したところ、６３０４［ｋｇ／（ｓ・ｍ2）］であった。
【０１１３】
レジスター２０を全開にして上記と同様に音圧を測定して、音圧のデータに対してフーリエ変換を行い周波数スペクトルを算出し、バックグラウンドデータとの差分を求めて透過音圧のデータとした。
結果を図４９に示す。
【０１１４】
［実施例１］
実施例１として、図４８に示すように、吸音材２４の内周面に、軸方向の幅Ｌoを１２ｍｍ空けて高抵抗部材２８で覆い、吸音材２４の他の全ての面を高抵抗部材２８で覆う構成とした以外は比較例１と同様にして消音システムを作製して、透過音圧のデータを求めた。
高抵抗部材２８として厚み５０μｍのＰＥＴフィルム（東レ株式会社製  ルミラー）を用いた。音響特性インピーダンスは、２．９×１０6［ｋｇ／（ｓ・ｍ2）］であった。すなわち、パラメータＰtZ（＝ｌｏｇ（ｔ×Ｚｒ2.5））は、７．９９であった。
結果を図５０に示す。
【０１１５】
［実施例２］
高抵抗部材として厚み３５０μｍのＰＥＴフィルム（東レ株式会社製  ルミラー）を用いた以外は、実施例１と同様にして消音システムを作製して、透過音圧のデータを求めた。パラメータＰtZ（＝ｌｏｇ（ｔ×Ｚｒ2.5））は、８．８３であった。
結果を図５１に示す。
また、図４９〜図５１に示す透過音圧と周波数との関係から、３５０Ｈｚ以上７１０Ｈｚ以下の周波数での透過損失の平均値を、５００Ｈｚオクターブバンドの透過損失として求めた。結果を図５２に示す。
【０１１６】
図４９〜図５２から、本発明の消音システムの実施例は、吸音材２４が同じであるにも関わらず、比較例に比べて透過損失が高く、高い防音性能が得られることがわかる。
また、図４９〜図５１から、実施例においては、特に第一共鳴周波数付近で透過損失が高くなることがわかる。
【０１１７】
また、図５３に、図４２のパラメータＰtZと効果発現率Ｙｅとの関係を表すグラフに、実施例１および実施例２のパラメータＰtZの位置をプロットした図を示す。図５３に示すように、実施例１および実施例２は、ほぼ同じ（１００％に近い）効果発現率が得られる条件である。図５０〜図５２の実施例１と実施例２との対比から、高抵抗部材２８の厚みが７倍異なるにも関わらず、透過音圧、および、透過損失について同等の効果が得られていることがわかる。
以上の結果より本発明の効果は明らかである。
【符号の説明】
【０１１８】
１０ａ〜１０ｓ  消音システム
１２  管状部材
１２ａ  周面開口部
１４  消音装置
１６  壁
１８  カバー部材
２０  風量調整部材
２４、２４ａ、２４ｂ  吸音材
２６  挿入部
２７、２７ａ、２７ｂ  ケース部
２８、２８ａ、２８ｂ  高抵抗部材
３２、３２ａ、３２ｂ  開口部
４０  化粧板
４２  境界カバー
５０  内挿型消音器
５２  防音フード
【図１】
2019056800.tif 000003
【図２】
2019056800.tif 000004
【図３】
2019056800.tif 000005
【図４】
2019056800.tif 000006
【図５】
2019056800.tif 000007
【図６】
2019056800.tif 000008
【図７】
2019056800.tif 000009
【図８】
2019056800.tif 000010
【図９】
2019056800.tif 000011
【図１０】
2019056800.tif 000012
【図１１】
2019056800.tif 000013
【図１２】
2019056800.tif 000014
【図１３】
2019056800.tif 000015
【図１４】
2019056800.tif 000016
【図１５】
2019056800.tif 000017
【図１６】
2019056800.tif 000018
【図１７】
2019056800.tif 000019
【図１８】
2019056800.tif 000020
【図１９】
2019056800.tif 000021
【図２０】
2019056800.tif 000022
【図２１】
2019056800.tif 000023
【図２２】
2019056800.tif 000024
【図２３】
2019056800.tif 000025
【図２４】
2019056800.tif 000026
【図２５】
2019056800.tif 000027
【図２６】
2019056800.tif 000028
【図２７】
2019056800.tif 000029
【図２８】
2019056800.tif 000030
【図２９】
2019056800.tif 000031
【図３０】
2019056800.tif 000032
【図３１】
2019056800.tif 000033
【図３２】
2019056800.tif 000034
【図３３】
2019056800.tif 000035
【図３４】
2019056800.tif 000036
【図３５】
2019056800.tif 000037
【図３６】
2019056800.tif 000038
【図３７】
2019056800.tif 000039
【図３８】
2019056800.tif 000040
【図３９】
2019056800.tif 000041
【図４０】
2019056800.tif 000042
【図４１】
2019056800.tif 000043
【図４２】
2019056800.tif 000044
【図４３】
2019056800.tif 000045
【図４４】
2019056800.tif 000046
【図４５】
2019056800.tif 000047
【図４６】
2019056800.tif 000048
【図４７】
2019056800.tif 000049
【図４８】
2019056800.tif 000050
【図４９】
2019056800.tif 000051
【図５０】
2019056800.tif 000052
【図５１】
2019056800.tif 000053
【図５２】
2019056800.tif 000054
【図５３】
2019056800.tif 000055